(57)【要約】【課題】本願は、吹出口が塞がれることによる性能の低下を可及的に抑制した衣服内送風装置を提供することを課題とする。【解決手段】衣服内送風装置であって、電動のファンを内蔵しており、着用者の腰に装着されると吹出口が該着用者の上衣内に配置される状態となるファン本体部と、吹出口の吹き出し方向側において、吹出口から吹き出た空気の流路に沿うように形成される接触部であり、着用者の身体側に位置する第１接触部と、流路の中心を間に挟んで第１接触部の反対側に位置する第２接触部と、を有するスペーサと、を備え、スペーサは、少なくとも第１接触部と第２接触部との間の部分に、吹出口から吹き出る空気の吹き出し方向に対し横向きに開口する開口部を有する。【選択図】図１
2019148015.tif 000002
【特許請求の範囲】
【請求項１】
電動のファンを内蔵しており、着用者の腰に装着されると吹出口が該着用者の上衣内に配置される状態となるファン本体部と、
前記吹出口の吹き出し方向側において、前記吹出口から吹き出た空気の流路に沿うように形成される接触部であり、前記着用者の身体側に位置する第１接触部と、前記流路の中心を間に挟んで前記第１接触部の反対側に位置する第２接触部と、を有するスペーサと、を備え、
前記スペーサは、少なくとも前記第１接触部と前記第２接触部との間の部分に、前記吹出口から吹き出る空気の吹き出し方向に対し横向きに開口する開口部を有する、
衣服内送風装置。
【請求項２】
前記スペーサは、周面に前記開口部を有する筒状体である、
請求項１に記載の衣服内送風装置。
【請求項３】
前記スペーサは、格子状である、
請求項１または２に記載の衣服内送風装置。
【請求項４】
前記スペーサは、前記ファン本体部に対し着脱自在である、
請求項１から３の何れか一項に記載の衣服内送風装置。
【発明の詳細な説明】
【技術分野】
【０００１】
本発明は、衣服内送風装置に関する。
【背景技術】
【０００２】
近年、着用者に清涼感を与える目的で空気を衣服内へ送風する衣服内送風装置が用いられている。衣服内送風装置の形態には各種のものが存在するが、既存の作業着に取り付け可能な形態としては、例えば、上下別々のいわゆる２ピースと呼ばれる作業着の腰のベルトに取り付けて用いる形態が提案されている（例えば、特許文献１を参照）。上下別々の作業着の腰のベルトに取り付けられた衣服内送風装置は、上衣と下衣の隙間から取り込んだ外気を上衣内へ送り込むことにより、着用者に清涼感を与える。
【先行技術文献】
【特許文献】
【０００３】
【特許文献１】特開２０１７−１６６３４４号公報
【発明の概要】
【発明が解決しようとする課題】
【０００４】
衣服内送風装置は、電動モータで回転するファンを内蔵しており、吸込口から吸い込んだ外気を上衣内の吹出口から吹き出す。上衣内の高温多湿の空気は、衣服内送風装置の吹出口から吹き出される空気に押され、着用者の首と上衣との間の隙間から外へ排出される。しかし、衣服内送風装置を着用する作業者は、様々な姿勢で作業を行うので、上衣を構成する布が衣服内送風装置の吹出口を塞ぐことがある。衣服内送風装置の吹出口が塞がれると、吹出口を通る空気の流通が阻害されるため、風量の低下や消費電力の増加、清涼感の低下といった各種懸念が生じる。
【０００５】
また、着用者の清涼感に鑑みれば、上衣内の高温多湿の空気が上衣内で局部的に残留しないように、上衣内へ吹き出される空気が衣服内送風装置の吹出口から幅広い方向へ吹き出ることが望まれる。しかし、例えば、衣服内送風装置の吹出口に風向調整用のルーバーを設けて空気を幅広い方向へ吹き出させると、吹出口から吹き出る気流の流速自体は低下するので、清涼感の不足を感じる着用者が現れる可能性がある。また、吹出口の付近には上衣を構成する布があるため、例えば、空気が幅広い方向へ吹き出ている吹出口が局部的に塞がれると、当該部分から吹き出ていた方向への空気の流れが失われ、上衣内の比較的広い範囲で気流が滞ることになる。また、吹出口に風向調整用のルーバーを設けると、吹出口の構造が複雑になる。
【０００６】
そこで、本願は、吹出口が塞がれることによる性能の低下を可及的に抑制した衣服内送風装置を提供することを課題とする。
【課題を解決するための手段】
【０００７】
上記課題を解決するため、本発明では、吹出口の吹き出し方向側にスペーサを設けることにし、当該スペーサには、着用者の身体側に位置する第１接触部と、その反対側に位置する第２接触部との間の部分に、吹出口から吹き出る空気の吹き出し方向に対し横向きに開口する開口部を設けることにした。
【０００８】
詳細には、衣服内送風装置であって、電動のファンを内蔵しており、着用者の腰に装着されると吹出口が該着用者の上衣内に配置される状態となるファン本体部と、吹出口の吹き出し方向側において、吹出口から吹き出た空気の流路に沿うように形成される接触部で
あり、着用者の身体側に位置する第１接触部と、流路の中心を間に挟んで第１接触部の反対側に位置する第２接触部と、を有するスペーサと、を備え、スペーサは、少なくとも第１接触部と第２接触部との間の部分に、吹出口から吹き出る空気の吹き出し方向に対し横向きに開口する開口部を有する。
【０００９】
ここで、着用者の腰に装着されるとは、該着用者の上衣の下端を形成する裾付近にファン本体部が配置されることを意図する概念である。よって、衣服内送風装置には、ファン本体部が胴体の後側で腰付近に装着される形態のみならず、例えば、胴体の前側、左側、或いは右側で腰付近に装着される形態も含まれる。
【００１０】
また、接触部とは、接触する可能性が比較的高い部位を意図する概念であり、当該部位と他の部位との境界を明確に画定する概念ではない。例えば、第１接触部であれば、スペーサのうち着用者の身体に比較的接触しやすい部位を意味するのであり、衣服内送風装置が着用者に着用されている状態において、当該着用者の身体に常に接触し続けていることを要することを意味するものではない。また、例えば、第２接触部であれば、スペーサのうち着用者の上衣に比較的接触しやすい部位を意味するのであり、衣服内送風装置が着用者に着用されている状態において、当該着用者の上衣に常に接触し続けていることを要することを意味するものではない。
【００１１】
上記の衣服内送風装置では、スペーサが設けられているため、吹出口の吹き出し方向側が着用者の身体と上衣とに挟まれても、吹出口は上衣の布に塞がれない。そして、スペーサでは、着用者の身体に第１接触部が接触し、着用者の上衣に第２接触部が接触する状態となる。よって、吹出口の吹き出し方向側において、吹出口から吹き出た空気の流路に沿うように形成されるこれらの第１接触部および第２接触部との間には、吹出口から吹き出た空気が通過するための空間が保持される。また、スペーサには、少なくとも第１接触部と第２接触部との間の部分に、吹出口から吹き出る空気の吹き出し方向に対し横向きに開口する開口部が設けられているため、第１接触部が着用者の身体に接触し、第２接触部が上衣に接触していても、当該開口部を通じて上衣内へ流れる空気の流通経路が確保される。
【００１２】
したがって、ファン本体部のファンが作動することにより吸込口に吸い込まれた外気は、上記のように、吹出口から上衣内へ吹き出される。吹出口から上衣内へ吹き出された空気は、上衣内の各部へ行き渡る。上衣内の各部へ行き渡った空気は、上衣内の高温多湿の空気を外へ排出する。この結果、着用者は、上記の衣服内送風装置を使用していない時よりも清涼感を得ることができる。
【００１３】
なお、スペーサは、周面に開口部を有する筒状体であってもよい。このようなスペーサであれば、着用者の身体と上衣との間に挟まれても、周面に設けられている開口部のうち、第１接触部の部分と第２接触部の部分以外の開口部については身体や上衣に塞がれないため、当該開口部を通じて上衣内へ流れる空気の流通経路が確保される。
【００１４】
また、スペーサは、格子状であってもよい。このようなスペーサであれば、着用者の身体と上衣との間に挟まれても、第１接触部と第２接触部との間隔が、格子を構成する構造材の支持構造によって保持されるため、上衣が着用者の身体に密着しても、第１接触部と第２接触部との間には、吹出口から吹き出た空気が通過するための空間が保持される。
【００１５】
また、スペーサは、ファン本体部に対し着脱自在であってもよい。スペーサは、着用者の身体と上衣との間にあるため、衣服内送風装置の使用中に予期せぬ荷重が加わる可能性がある。この点、スペーサがファン本体部に対し着脱自在であれば、スペーサが荷重等により破損した場合であっても、スペーサのみを交換可能である。
【発明の効果】
【００１６】
上記の衣服内送風装置であれば、吹出口が塞がれることによる性能の低下を可及的に抑制することが可能である。
【図面の簡単な説明】
【００１７】
【図１】図１は、本実施形態に係る衣服内送風装置を示した斜視図である。
【図２】図２は、衣服内送風装置の使用状態を示した図である。
【図３】図３は、衣服内送風装置の付近において着用者の身体と上衣とが密着している状態における気流の様子を示した図である。
【図４】図４は、スペーサの変形例を示した図である。
【図５】図５は、消費電力を比較したグラフである。
【発明を実施するための形態】
【００１８】
以下、本発明の実施形態について説明する。以下に示す実施形態は、本発明の実施形態の一例であり、本発明の技術的範囲を以下の態様に限定するものではない。
【００１９】
図１は、本実施形態に係る衣服内送風装置を示した斜視図である。衣服内送風装置１は、着用者の腰に装着される装置であり、電動のファンを内蔵するファン本体部２と、ファン本体部２の吹出口３側に取り付けられるスペーサ４とを備える。ファン本体部２には、ファンのモータへ電力を供給するバッテリ用のケーブルが設けられる。そして、ファン本体部２に内蔵のファンは、着用者が身に付けるバッテリから供給される電力で作動する。
【００２０】
スペーサ４は、ファン本体部２に対し着脱自在であってもよいし、或いは、ファン本体部２と一体形成されていてもよい。スペーサ４がファン本体部２に対し着脱自在であれば、例えば、スペーサ４が破損した場合にスペーサ４のみを交換することができる。
【００２１】
ファン本体部２は、内蔵されているファンの回転軸を中心とした外周面を有する略円筒状のケーシング５を有する。ファン本体部２は、ケーシング５の下部に設けられた吸気口６から外気を吸引し、ケーシング５の上部に設けられた吹出口３から空気を吹き出す。ファン本体部２には、着用者の腰に固定するためのベルトクリップ７が設けられている。ベルトクリップ７は、側面視Ｕ字状の金属製のクリップであり、例えば、着用者の下衣に取り付けられたベルトに引っ掛けることができる。また、ファン本体部２には、着用者の上衣の裾を止めるためのウェアクリップ８が設けられている。ウェアクリップ８は、側面視Ｊ字状の金属製のクリップであり、例えば、着用者の上衣の裾をウェアクリップ８とケーシング５との間に挟んだ状態で保持する。よって、ファン本体部２は、例えば、上下別々のいわゆる２ピースと呼ばれる作業着を着用する着用者の腰のベルトにベルトクリップ７で装着され、上衣の裾がウェアクリップ８で止められた状態になると、上衣と下衣の隙間から着用者の衣服の外側へ吸気口６が露出し、着用者の上衣内に吹出口３が配置された状態となる。したがって、ファン本体部２は、上衣と下衣の隙間から吸気口６を通じて外気を取り込み、吹出口３から上衣内へ空気を吹き出すことができる。
【００２２】
次に、スペーサ４について説明する。スペーサ４は、ファン本体部２に設けられている吹出口３から空気の吹き出し方向へ向かって延設される筒状の部材である。スペーサ４は、吹出口３から空気の吹き出し方向へ向かうにつれて徐々に先細る形態となっており、全体的に格子状の部材である。
【００２３】
スペーサ４は、ファン本体部２に取り付けられた状態で使用されるので、衣服内送風装置１が着用者の腰に装着されると、スペーサ４の一部分が着用者の体に接触し、その反対側の部分が着用者の上衣に接触する状態となる。そこで、以下においては、スペーサ４の
うち、着用者の体に比較的接触しやすい部位を第１接触部９と呼び、その反対側の上衣に比較的接触しやすい部位を第２接触部１０と呼ぶことにする。
【００２４】
第１接触部９は、吹出口３の吹き出し方向側において、吹出口３から吹き出た空気の流路に沿うように形成される部位であり、スペーサ４のうち着用者の身体側の部分、換言すると、スペーサ４のうちベルトクリップ７が設けられている側の部分に位置する。一方、第２接触部１０は、第１接触部９と同様に、吹出口３の吹き出し方向側において、吹出口３から吹き出た空気の流路に沿うように形成される部位であるが、第１接触部９とは異なり、吹出口３から吹き出た空気の流路の中心を間に挟んで第１接触部９の反対側に位置する。したがって、衣服内送風装置１が着用者の腰に装着されて、スペーサ４が着用者の身体と上衣との間に挟まれた状態になると、第１接触部９は着用者の身体に接触し、第２接触部１０は上衣に接触した状態になる。
【００２５】
また、スペーサ４は、全体的に格子状の部材であるため、第１接触部９と第２接触部１０との間の部分を含む全域に渡って、吹出口３から吹き出る空気の吹き出し方向に対しほぼ横向きに開口する開口部１１を有する。また、スペーサ４は、ファン本体部２の吹出口３の部分を取り囲むようにしてファン本体部２に嵌合する環状基部１２を有する。また、スペーサ４は、スペーサ４の上端部分に位置する環状端部１６を有する。また、スペーサ４は、環状基部１２の全周に渡って離散的に環状基部１２から立設されて環状端部１６へ至る棒状部分１３と、当該棒状部分１３に対し直交する状態で棒状部分１３同士を離散的に繋ぐ環状部分１４とによって構成される格子部１５を有する。故に、開口部１１は、格子部１５を構成する棒状部分１３と環状部分１４とによって画定されると言える。
【００２６】
このように構成されるスペーサ４では、吹出口３の吹き出し方向側が着用者の身体と上衣とに挟まれても、吹出口３が上衣の布に塞がれない。例えば、着用者の姿勢に追従して上衣が着用者の身体に密着しても、スペーサ４の部分では、着用者の身体に第１接触部９が接触し、着用者の上衣に第２接触部１０が接触する。そして、第１接触部９と第２接触部１０との間隔が、格子部１５を構成する棒状部分１３や環状部分１４の支持構造によって保持されるため、上衣が着用者の身体に密着しても、第１接触部９と第２接触部１０との間には、吹出口３から吹き出た空気が通過するための空間が保持される。また、スペーサ４には、第１接触部９と第２接触部１０との間の部分を含む全域に渡って開口部１１が形成されているため、格子部１５のうち第１接触部９と第２接触部１０の部分にある開口部１１が着用者の身体や上衣に塞がれても、第１接触部９と第２接触部１０との間の部分にある開口部１１、換言すると、着用者の身体や上衣に塞がれていない開口部１１を通じて流れる空気の流通経路が確保される。
【００２７】
図２は、衣服内送風装置１の使用状態を示した図である。衣服内送風装置１は、例えば、着用者１７の腰に装着される。衣服内送風装置１は、上下別々の上衣１８と下衣１９を着用した着用者１７が下衣１９のベルト通しに挿通しているベルト２０に固定されてもよいし、或いは、下衣１９の上端部分に直接固定されてもよい。図２（Ａ）は、衣服内送風装置１の付近において、着用者１７の身体２１と上衣１８との間が比較的空いている状態を示した図である。また、図２（Ｂ）は、衣服内送風装置１の付近において、着用者１７の身体２１と上衣１８とが密着している状態を示した図である。
【００２８】
図２（Ａ）では、着用者１７の身体２１と上衣１８との間が比較的空いているため、吹出口３から吹き出た空気は、概ね直進状態を保ったまま上衣１８内の上方へ向かって流れる。また、図２（Ｂ）では、衣服内送風装置１の付近において着用者１７の身体２１と上衣１８とが密着しているが、第１接触部９と第２接触部１０との間の部分にある開口部１１を通じて流れる空気の流通経路が確保されている。よって、衣服内送風装置１の付近において着用者１７の身体２１と上衣１８とが密着している状態では、図２（Ｂ）を見ると
判るように、吹出口３から吹き出た空気は、スペーサ４内で横向きに進路を変えて開口部１１から吹き出ている。
【００２９】
図３は、衣服内送風装置１の付近において着用者１７の身体２１と上衣１８とが密着している状態における気流の様子を示した図である。衣服内送風装置１の付近において着用者１７の身体２１と上衣１８とが密着している場合、図３に示されるように、スペーサ４のうち第１接触部９の部分にある開口部１１が身体２１に塞がれ、スペーサ４のうち第２接触部１０の部分にある開口部１１が上衣１８に塞がれる。しかし、スペーサ４の全域に設けられている開口部１１のうち、第１接触部９と第２接触部１０との間の部分にある開口部１１は、身体２１にも上衣１８にも塞がれていない。よって、吹出口３から吹き出た空気は、第１接触部９と第２接触部１０との間の部分にある、身体２１にも上衣１８にも塞がれていない開口部１１を通じて上衣１８内へ流れる。
【００３０】
したがって、ファン本体部２のファンが作動することにより吸気口６に吸い込まれた外気は、上記のように、吹出口３から上衣１８内へ吹き出される。吹出口３から上衣１８内へ吹き出された空気は、上衣１８内の各部へ行き渡る。上衣１８内の各部へ行き渡った空気は、上衣１８内の高温多湿の空気を主に着用者１７の首と上衣１８との間の隙間から外へ排出する。この結果、着用者１７の皮膚から排出される汗などにより、上衣１８の外側よりも高温多湿になった上衣１８内の空気は、吹出口３から吹き出される空気に置換される。このため、着用者１７は、衣服内送風装置１を使用していない時よりも清涼感を得ることができる。
【００３１】
なお、ファン本体部２に装着するスペーサ４は、例えば、次のように変形することもできる。図４は、スペーサ４の変形例を示した図である。スペーサ４は、例えば、図４（Ａ）に示されるように、環状基部１２から環状端部１６へ向かうにつれて先細る形態の筒状の部材であり、六角形の開口部１１が筒状の部材の周面に設けられたものであってもよい。また、スペーサ４は、例えば、図４（Ｂ）に示されるように、環状基部１２から環状端部１６へ至るまで同径の筒状の部材であり、上記実施形態よりも大きい開口部１１が筒状の部材の周面に設けられたものであってもよい。また、スペーサ４は、例えば、図４（Ｃ）に示されるように、網状の部材によって微細な開口部１１が筒状の部材の周面に設けられたものであってもよい。また、スペーサ４は、例えば、図４（Ｄ）に示されるように、円形の開口部１１が筒状の部材の周面に設けられたものであってもよい。また、スペーサ４は、例えば、図４（Ｅ）に示されるように、環状基部１２から環状端部１６へ至る大きさの開口部１１が筒状の部材の周面に設けられたものであってもよい。また、スペーサ４は、例えば、図４（Ｆ）に示されるように、筒状の部材の周面のうち、第１接触部９や第２接触部１０に相当する部位以外の、第１接触部９と第２接触部１０との間の部分にのみ開口部１１がに設けられたものであってもよい。また、スペーサ４は、例えば、環状端部１６を省略したり、その他各種の形態にしてもよい。スペーサ４は、例えば、押圧すると外れる蓋を各開口部１１に一体成型したものであり、着用者１７が好みに応じて任意の箇所の開口部１１の蓋を取り除くことが可能なものであってもよい。
【００３２】
図５は、消費電力を比較したグラフである。ファン本体部２からスペーサ４を取り外してスペーサ４を省略した状態の衣服内送風装置１では、着用者１７の姿勢の変化により吹出口３が塞がれる場合があるため、ファン本体部２に内蔵されているモータの負荷が通気抵抗を受けて増大し、例えば、図５のグラフにおいて「スペーサなし」の棒グラフを「塞ぎなし」と「塞ぎあり」とで見比べると判るように、吹出口３が塞がれると消費電力が通常より高くなる。この点、ファン本体部２にスペーサ４を取り付けた状態の衣服内送風装置１では、着用者１７の姿勢が変化しても吹出口３が塞がれないため、例えば、図５のグラフにおいて「スペーサあり」の棒グラフを「塞ぎなし」と「塞ぎあり」とで見比べると判るように、吹出口３が塞がれても消費電力が殆ど変化しない。よって、スペーサ４をフ
ァン本体部２に取り付けた衣服内送風装置１であれば、スペーサ４が無いものに比べて、着用者１７が身に付けるバッテリの電力消費を抑制し、衣服内送風装置１をより長時間稼働させることができる。
【符号の説明】
【００３３】
１・・衣服内送風装置：２・・ファン本体部：３・・吹出口：４・・スペーサ：５・・ケーシング：６・・吸気口：７・・ベルトクリップ：８・・ウェアクリップ：９・・第１接触部：１０・・第２接触部：１１・・開口部：１２・・環状基部：１３・・棒状部分：１４・・環状部分：１５・・格子部：１６・・環状端部：１７・・着用者：１８・・上衣：１９・・下衣：２０・・ベルト：２１・・身体：
【図１】
2019148015.tif 000003
【図２】
2019148015.tif 000004
【図３】
2019148015.tif 000005
【図４】
2019148015.tif 000006
【図５】
2019148015.tif 000007